(57)【特許請求の範囲】
【請求項１】
デジタルデータを含む放送データを受信してコンピュータに出力するデータ受信装置であって、
放送データが入力され放送回線上で割り当てられたアドレスを有する第１のインタフェースと、
上記入力された放送データを所定のパケットに再構成するパケッタイザと、
上記再構成されたパケットをコンピュータに出力する第２のインタフェースと、
インターネットに接続するための第３のインタフェースと、
上記第１乃至第３のインタフェースの間の経路を選択する経路選択手段とを備え、
上記経路選択手段は、上記コンピュータに対して上記インターネット上で割り当てられたアドレスと上記第１のインタフェースのアドレスとを変換するアドレス変換テーブルを有することを特徴とするデータ受信装置。
【請求項２】
上記放送データは、衛星放送回線またはケーブルテレビジョン放送回線を介して入力されることを特徴とする請求項１記載のデータ受信装置。
【請求項３】
上記再構成される所定のパケットは、インターネットプロトコルパケットであることを特徴とする請求項１記載のデータ受信装置。
【請求項４】
上記第２のインタフェースは、ローカルエリアネットワークに接続するためのインタフェースであり、上記再構成されたパケットはローカルエリアネットワークを介してコンピュータに出力されることを特徴とする請求項１記載のデータ受信装置。
【請求項５】
上記第２のインタフェースは、ＩＥＥＥ１３９４ Standard for a High Performance Serial Bus に基づくインタフェースであることを特徴とする請求項１記載のデータ受信装置。
【請求項６】
上記経路選択手段は、放送回線を用いたデータ供給をリクエストするための上記コンピュータから入力されたリクエストパケットの上記インターネット上で割り当てられたアドレスを上記放送回線上で割り当てられた上記第１のインタフェースのアドレスに変換し、上記第３のインタフェースを介して上記インターネット側に送出し、上記リクエストに応じて上記放送回線を経由して上記第１のインタフェースにて放送データが受信されて上記パケッタイザにより再構成されたパケットのアドレスを、上記インターネット上で割り当てられたアドレスに変換して、上記第２のインタフェースを介して上記コンピュータに送出することを特徴とする請求項１記載のデータ受信装置。
【請求項７】
デジタルデータを含む放送データを受信してコンピュータに出力するデータ受信方法であって、
上記コンピュータからリクエストされたデジタルデータを含む放送データを受信することにより入力された放送データを所定のプロトコルパケットに再構成するパケッタイズ工程と、
上記再構成された所定のプロトコルパケットをコンピュータに出力する際に、パケットのアドレスを上記放送データの放送回線上で割り当てられた放送インタフェースのアドレスから上記コンピュータのアドレスに書き換えて、データの経路を制御する経路選択工程と
を有することを特徴とするデータ受信方法。
【請求項８】
上記放送データは、衛星放送回線またはケーブルテレビジョン放送回線を介して入力されることを特徴とする請求項７記載のデータ受信方法。
【請求項９】
上記再構成される所定のパケットは、インターネットプロトコルであることを特徴とする請求項７記載のデータ受信方法。
【請求項１０】
インターネットに接続するためのインタフェースを有し、
上記経路選択工程では、上記放送データを用いたデータ供給を上記コンピュータからリクエストする際に、リクエストパケットのアドレスを上記コンピュータのアドレスから上記放送データの放送インタフェースのアドレスに変換して上記インタフェースを介してインターネット側に送出することを特徴とする請求項７記載のデータ受信方法。
【発明の詳細な説明】
【０００１】
【発明の属する技術分野】
本発明は、例えばデジタル衛星放送回線を介して受信したデジタルデータをコンピュータに出力するデータ受信装置およびデータ受信方法に関する。
【０００２】
【従来の技術】
ケーブルテレビジョン放送や衛星放送の受信装置のように、放送されるオーディオデータやビデオデータのストリームだけを受信して、外部インタフェースからオーディオ／ビデオストリームを出力することができる受信装置が、一般に使用されている。
【０００３】
このような受信装置には、ビデオ／オーディオのストリームの他にコンピュータ上で利用されるデジタルデータを受信する機能を備えたものもあり、データのストリームを出力ポートからコンピュータなどに出力できる。しかし、このような受信装置において、受信した放送データをＩＰ（インターネットプロトコル）データグラムとして出力する機能を持つものは提供されていない。
【０００４】
【発明が解決しようとする課題】
このため、放送回線を介して受信したデータをコンピュータで利用するためには、それぞれのコンピュータに専用の回路ボードを装着するなどする必要があり、汎用性に乏しく、必ずしも使いやすいものではなかった。
【０００５】
本発明は、このような問題を解決するために行われたものであり、例えばデジタル衛星放送回線等を介して送られるデジタルデータを、ＩＰデータグラムに変換してコンピュータなどに出力できるデータ受信装置およびデータ受信方法を提供することを目的としている。
【０００６】
上述の課題を解決するために提案する本発明のデータ受信装置は、デジタルデータを含む放送データを受信してコンピュータに出力するデータ受信装置であって、放送データが入力され放送回線上で割り当てられたアドレスを有する第１のインタフェースと、上記入力された放送データを所定のパケットに再構成するパケッタイザと、上記再構成されたパケットをコンピュータに出力する第２のインタフェースと、インターネットに接続するための第３のインタフェースと、上記第１乃至第３のインタフェースの間の経路を選択する経路選択手段とを備え、上記経路選択手段は、上記コンピュータに対して上記インターネット上で割り当てられたアドレスと上記第１のインタフェースのアドレスとを変換するアドレス変換テーブルを有することを特徴とするものである。
【０００７】
また、上述の課題を解決するために提案する本発明のデータ受信方法は、デジタルデータを含む放送データを受信してコンピュータに出力するデータ受信方法であって、上記コンピュータからリクエストされたデジタルデータを含む放送データを受信することにより入力された放送データを所定のプロトコルパケットに再構成するパケッタイズ工程と、上記再構成された所定のプロトコルパケットをコンピュータに出力する際に、パケットのアドレスを上記放送データの放送回線上で割り当てられた放送インタフェースのアドレスから上記コンピュータのアドレスに書き換えて、データの経路を制御する経路選択工程とを有することを特徴とするものである。
【０００８】
上記の本発明によれば、放送回線を介して送られるデータをＩＰデータに変換してコンピュータに出力するデータ受信装置およびデータ受信方法を提供することができる。
【０００９】
【発明の実施の形態】
次に、本発明の好ましい実施の形態について図面を参照しながら説明する。以下では、まず本発明に係るデータ受信装置の基本的な構成と動作について説明し、さらにその具体的な実施例について説明する。
【００１０】
図１は、本発明のデータ受信装置の実施の一形態の外観を示す図であり、図２は、本発明のデータ受信装置の主要部の構成を示すブロック図である。
【００１１】
これらの図１、図２に示すデータ受信装置は、ビデオデータおよびオーディオデータのストリームを受信して出力する通常の放送受信装置としての機能に加えて、コンピュータなどに利用されるデジタルデータの受信機能を有している。そして、このデータ受信装置は、受信したビデオデータおよびオーディオデータとデジタルデータのストリームを出力するための外部出力インタフェースを備えている。
【００１２】
具体的には、本発明に係るデータ受信装置１０１は、同軸ケーブルなどにより放送回線に端子１を介して接続する放送インタフェース１ａと、ＬＡＮ（ローカルエリアネットワーク）に対して端子２を介してパーソナルコンピュータ２０に接続するためのＰＣ（Personal Computer） インタフェース２ａと、端子３に接続される電話回線を介してインターネットなどの外部ネットワークと接続するための電話インタフェース３ａと、受信したＡ／Ｖ（オーディオ／ビデオ）データを端子４を介して出力するためのＡＶ機器インタフェース４ａを備えている。
【００１３】
このデータ受信装置１０１は、従来はコンピュータ２０の拡張スロットなどに装着される回路ボード上に構成されていた上記の各インタフェースを、同一の筐体に収容してコンパクトに構成されている点が特徴である。このため、データ受信装置１０１をコンピュータ２０と放送回線や電話回線との間に設置してコネクタを接続するだけで、放送回線を介して送られるデータをＩＰデータに変換してコンピュータ２０で利用できるようになる。
【００１４】
このデータ受信装置の基本的な機能は、衛星放送回線などの大容量の一方向回線を介して送られるデジタルデータを受信して、コンピュータに出力することである。このために、上記のデータ送受信装置は、３つのインタフェースを備えている。
【００１５】
第１のインタフェースである放送インターフェース１ａは、端子１を介して同軸ケーブルなどで放送回線と接続される放送受信用のインタフェースであり、衛星放送やケーブルテレビジョン放送を受信するためのチューナ部１０などを含んで構成される。接続される放送回線としては、上記の衛星放送やケーブルテレビジョン放送に限らず、地上波を利用する放送回線でもよい。
【００１６】
第２のインタフェースであるＰＣインターフェース２ａは、端子２を介してコンピュータとデータを送受信するためのパーソナルコンピュータインタフェースである。通常は、ローカルエリアネットワーク（ＬＡＮ）を介してコンピュータと接続するためのＬＡＮインタフェースを含んで構成される。ここで想定するＬＡＮは、伝送速度１０Ｍｂｐｓでベースバンド伝送を行う１０ＢａｓｅＴ、あるいはシリアルインタフェースの規格で１００Ｍ／２００Ｍ／４００Ｍｂｐｓの転送速度により制御信号と情報信号とを混在させて伝送することのできるＩＥＥＥ１３９４ Standard for a High Performance Serial Bus のような規格などに基づくものである。
【００１７】
また、第３のインタフェースである電話インターフェース３ａは、インターネットなどの外部のネットワークに接続するための外部接続インタフェースである。電話回線としては、３．４ｋＨｚ帯域でアナログ音声信号を伝送するＰＳＴＮ（Public Switched Telephone Network ）や、６４〜１２８ｋｂｐｓでデジタルデータを伝送するＩＳＤＮ（Interated Services Digital Network）が用いられる。これらの電話回線は、モデムやＩＳＤＮ（Interated Services Digital Network）のターミナルアダプタを介して端子３に接続される。
【００１８】
なお、このデータ受信装置は、要求される機能によって放送インタフェース１ａとＰＣインタフェース２ａのみを備えるように構成されてもよい。また、上記のインタフェース以外にも、ＡＴＭ（Asynchronous Transfer Mode）や光ファイバ分散データ・インタフェース（ＦＤＤＩ：Fiber Distributed Data Interface）などを用いるようにしてもよい。
【００１９】
チューナ部１０は、端子１を介して入力される放送データのうちの所望の放送チャンネルを選択して、データストリーム（データ列）を出力する。このデータストリームは、オーディオデータやビデオデータに加えてコンピュータ上で利用されるデジタルデータを含むものである。
【００２０】
デマルチプレクサ（Demultiplexor ）１１では、チューナ部１０で選択されたデータストリームのパケットのうちの同じパケット識別子（ＰＩＤ：Packet Identifier ）をもつパケットが集められて振り分けられる。これにより、多重化されて放送データとされていたオーディオデータ、ビデオデータ、デジタルデータが互いに分離される。
【００２１】
ここで分離されたオーディオデータとビデオデータはＡ／Ｖデコーダ１６に送られ、デジタルデータは後述するパケッタイザ１２に送られる。
【００２２】
Ａ／Ｖデコーダ１６は、デマルチプレクサ１１からのビデオデータおよびオーディオデータのストリームをそれぞれデコードしてアナログ信号にするためのものである。このアナログ信号は、Ａ／Ｖ出力端子４から出力される。
【００２３】
次に、デマルチプレクサ１１で分離されたデジタルデータの流れに沿って、このデータ受信装置についてさらに説明する。
【００２４】
以下では、ＰＣインタフェース２ａを介して接続されるパーソナルコンピュータから、電話インタフェース３ａを介してインターネットのサービスプロバイタに接続する場合を想定して説明する。また、上記の各インタフェースにはインターネットプロトコル（ＩＰ）アドレスが割り当てられるものとし、データストリームはＩＰデータグラムであるとする。
【００２５】
前述したように、デマルチプレクサ１１で分離されたデジタルデータのストリームは、パケッタイザ１２に送られる。このパケッタイザ１２は、例えば、デジタル衛星方法の伝送規格に基づくトランスポートストリームパケットの単位やフォーマットを変換して、例えば、インターネットプロトコルに基づく所定のパケットを生成するためのものである。
【００２６】
ここでは、例えば、デマルチプレクサ１１からのトランスポートストリームパケット（ＴＳパケット）が、インターネットプロトコルパケット（ＩＰパケット）に再構成されて、経路選択部１３に送られる。なお、データの集合としてのＩＰパケットは、ＩＰデータグラムとも呼ばれる。
【００２７】
経路選択部１３は、このデータ受信装置を介してやりとりされるデータの経路を選択し、選択した経路に応じて送信先のアドレスを変換するためのものであり、制御情報に応じて、放送インタフェース１ａとＰＣインタフェース２ａおよび電話インタフェース３ａの間の経路を選択する。上記の制御情報は、放送インタフェース１ａを介して入力される放送データ中に含まれる場合もあり、ＰＣインタフェース２ａを介して接続されるパーソナルコンピュータから送信されるデータに含まれることもある。
【００２８】
ＬＡＮインタフェース１４は、端子２を介して接続されるパーソナルコンピュータとデータを送受信するためのインタフェースであり、ローカルエリアネットワーク（ＬＡＮ）と接続するためのインタフェースである。
【００２９】
モデム１５は、端子３に接続される電話回線を介して外部ネットワークとデータを送受信するためのインタフェースである。電話回線がＩＳＤＮ回線であるときにはターミナルアダプタが用いられる。
【００３０】
また、課金制御部１７は、ＣＡ（Conditional Access）制御などとも呼ばれる有料の放送番組を受信する際の課金をなどを制御するためのものであり、必要に応じて設けられる。この課金制御部１７は、例えばメモリカードに記録されている条件に応じて発生する課金情報を、放送事業者などに電話回線を介して送信する機能を備えている。
【００３１】
以上の説明では、このデータ受信装置に入力される放送データにスクランブルが施されていないものとしているが、実際の放送データにはスクランブルが施されているのが通常である。この場合には、チューナ部１０の後にオーディオ／ビデオデータ用のデスクランブラが配置され、パケッタイザ１２の後にデータ用のデスクランブラが配置される。
【００３２】
次に、上記の基本構成を有する本発明のデータ受信装置の動作について、図３を参照しながら説明する。
【００３３】
最初に、このデータ受信装置を介して、パーソナルコンピュータと外部のインターネットの接続プロバイダとの間でＩＰデータグラムを送受信する場合について説明する。
【００３４】
ＰＣインタフェース２ａを構成する端子２およびＬＡＮインタフェース１４を介して受信されたＩＰデータグラムは、経路選択部１３に送られる。このＩＰデータグラムを電話回線側に送出する場合には、ここで電話インタフェース３ａが選択されてモデム１５にデータが送られる。そして、モデム１５は、端子３に接続される電話回線を介してインターネットの接続プロバイダに対して発呼し、接続動作を完了すると、ＩＰデータグラムを端子３から電話回線に送出する。
【００３５】
また、インターネットの接続プロバイタから電話回線を介して送られたデータは、端子３からモデム１５を経由して、経路選択部１３に入力される。ここで、ＰＣインタフェース２ａが選択され、受信されたデータがコンピュータに出力される。
【００３６】
ここで、経路選択部１３からＰＣインタフェース２ａを通してＩＰデータグラムが出力される際の通信プロトコルとしては、標準のインターネットプロトコルが使用される。また、このデータ受信装置は、予めインターネットの接続プロバイダなどとのＰＰＰ（Point-to-Point Protocol） 接続の過程で、各受信装置に接続されたパーソナルコンピュータに割り当てられたＩＰアドレスを取得しているものとする。さらに、ＩＰアドレスを取得した後、インターネット上のデジタル衛星放送事業者が管理する認証サーバへアクセスして、放送回線上で使用される各受信装置に割り当てられたＩＰアドレスを取得し、前述したインターネット上のＩＰアドレスと放送回線上のＩＰアドレスとの対応関係が、アドレス変換テーブル１３ａとして経路選択部１３内のメモリ（ＲＡＭ）に記憶される。
【００３７】
次に、コンピュータからインターネットなどの外部ネットワーク側にリクエストを送信する際には双方向の電話回線を用い、上記のリクエストに対するインターネット側からのデータをデジタル衛星回線やケーブルテレビジョン放送回線などの大容量の一方向放送回線を用いて受信する場合のデータについて説明する。
【００３８】
図３の（ａ）に示すように、パーソナルコンピュータからのリクエストは、ＰＣインタフェース２ａを介して経路選択部１３に送られる。このとき、経路選択部１３では、アドレス変換テーブル１３ａに基づいてＩＰデータグラムのヘッダ部のＩＰデータアドレスを、放送インタフェース１ａのＩＰアドレスに書き換える。そして、このＩＰアドレスが書き換えられたＩＰデータグラムは、チェックサムの再計算が行われた後に、モデム１５を介して電話回線からインターネット側に送出される。ここで、書き換えを行ったＩＰアドレスの対は、アドレス変換テーブル１３ａに保存される。すなわち、このアドレス変換テーブル１３ａは、放送回線上で使われるＩＰアドレスと、通常のインターネット上で使われるＩＰアドレスとの対応関係を示している。
【００３９】
このアドレス変換を行うことにより、図３の（ｂ）に示すように、インターネットのサーバから送信されたデータが、デジタル衛星放送などの放送回線を経由し、このデータ受信装置の放送インターフェース１ａ、デマルチプレクサ１１、パケッタイザ１２、経路選択部１３およびＰＣインターフェース２ａを介してパーソナルコンピュータに受信されることになる。すなわち、放送インタフェース１ａを介してチューナ部１０で受信されたトランスポートストリームパケットがパケッタイザ１２でＩＰパケットに変換され、経路選択部１３に送られる。ここで、ＩＰパケットあるいはＩＰデータグラムのヘッダ部の放送回線上で割り当てられたＩＰデスティネーション（送信先）アドレスが、そのデータに対するリクエストを行ったコンピュータのＩＰアドレスに書き換えられる。そして、ＰＣインタフェース２ａが選択されて、パーソナルコンピュータへＩＰデータグラムが送出される。
【００４０】
なお、このデータ受信装置の放送インタフェース１ａを使用する双方向通信は、上記のアドレス書き換えにより実現する方法に限定されるものではなく、種々の方法で実現できる。
【００４１】
次に、ＩＰパケットについて説明する。
図４は、ＩＰパケットの構成を示している。
【００４２】
ＩＰパケット６０の大きさは、ＴＣＰ／ＩＰ（Transmission Control Protocol／Internet Protocol）で規定され、ユーザがリクエストしたデータがその大きさを超える場合には、このデータは複数のＩＰパケットに分割される。
【００４３】
データの暗号化が行われる場合には、６４ビットの平文に対して行われるのが通常であり、暗号化すべきＩＰパケット６０のデータ長が６４ビットの倍数でない場合には、データの埋め合わせ、すなわち無効データのパディングを行うことでＩＰパケット６０全体を６４ビットの倍数にし、ＩＰパケット６１とされる。
【００４４】
特定のユーザ用のＩＰパケット６１が暗号化されたＩＰパケット６２には、ＭＡＣヘッダ７０が付加される。このＭＡＣヘッダ７０は、８ビットのＳＳＩＤ（Server System ID）と、２４ビットのＵＤＢ（User Depend Block）１と、３２ビットのＵＤＢ２の計６４ビットで構成される。特に、ＭＡＣヘッダ７０のＵＤＢ２には、上記ＩＰヘッダ内に書かれた送信先ＩＰアドレスと同様の送信先ＩＰアドレスが書き込まれる。
【００４５】
上記ＩＰヘッダ内の送信先ＩＰアドレスは暗号化されており、受信装置側では暗号を復号しなければ送信先ＩＰアドレスを知ることができないが、上記ＭＡＣヘッダ７０にそれと同じ送信先ＩＰアドレスがあれば、受信側では単にハードウェア的にそれを読み出すことで、自分宛のデータブロックであるか否かを知ることができる。
【００４６】
なお、上記ＵＤＢ１には、３ビットのＰＢＬ（Padding_Byte_Length）と、１ビットのＣＰ（Control_Packet）と、１ビットのＥＮ（Encrypted_or_Not）と、１ビットのＰＮ（Protocol_Type Available_or_Not）と、２ビットのReserveと、１６ビットのプロトコル番号（Protocol  Type）がセットされる。
【００４７】
この内、ＰＢＬは、パディングバイト長であり、暗号化の際に埋め合わせされた無効なデータの長さである。これは、暗号化されたＩＰパケットを受信したユーザが正規なデータ長を知るために必要となる。
【００４８】
また、ＣＰは、ＩＰパケットに、ユーザが必要なデータかシステム運用に必要な制御データが入っているかを識別するビットである。通常、ユーザがリクエストした際に受け取るべきＭＡＣフレーム６３のＣＰは、制御データではなくデータが入っていることを示している。
【００４９】
ＥＮは、ＩＰパケットが暗号化器によって暗号化されているか否かを示す制御ビットである。このビット情報によってユーザは受信したＭＡＣフレーム６３を復号するかしないか決定する。ＰＮは、Protocol  Typeエリアに有用な情報があるか否かを示す制御ビットである。上記の制御ビットをＩＰパケット６２に付加している。
【００５０】
ここで、ＵＤＢ２には、上記送信先ＩＰアドレスの他、ＩＰパケットの情報の種類を表すコンテンツＩＤをセットしてもよい。このコンテンツＩＤについては後述する。ＵＤＢ２にセットされたのが、上記送信先ＩＰアドレスであるか上記コンテンツＩＤであるかを識別させるのが上記ＳＳＩＤである。
【００５１】
ＭＡＣフレーム６３には、ＣＲＣ（Cyclic Redundancy Checking、巡回冗長検査）が付加される。このようにデータ送信側でＣＲＣの計算を行うことで、データ受信側では、受信したＭＡＣフレームが正しく伝送されているかを検査することができる。生成された１６ビットのＣＲＣは、ＭＡＣフレーム６３の最後に付加されている。
【００５２】
このＭＡＣフレーム６３は、例えばＭＰＥＧ２で規定されるセクションに変換される。ＭＡＣフレーム６３は、セクション（Ｓｅｃ）ヘッダ７１の直後に付加され、プライベートセクション６４と呼ばれる。
【００５３】
そして、伝送されるプライベートセクション６４は、トランスポートパケット６５1，６５2，・・６５nに分割される。
【００５４】
図５は、ここで使用されるＩＰパケット６０のＩＰヘッダについて示している。このＩＰヘッダには、ユーザの送信先ＩＰアドレス７４と、送信元のＩＰアドレス７３が入っている。この送信先ＩＰアドレス７４は、３２ビットである。
【００５５】
次に、本発明の実施の形態としてのデータ受信装置について、より具体的に説明する。
【００５６】
図６は、本発明に係るデータ受信装置の具体的な構成例を示すブロック図である。
【００５７】
特定ユーザからのリクエストに応じて放送回線を介して送信されたデータは、ユーザ側の受信アンテナ３１で受信され、特定のユーザのデータ受信装置に転送される。
【００５８】
受信アンテナ３１で受信された信号は、ＩＦ信号に変換され、端子１からデータ受信装置３２に入力される。データ受信装置３２では、チューナ３３，Ａ／Ｄ変換器３４，復調器３５およびデコーダ３６を経てディジタル信号に変換される。ここでは、この復調器３５およびデコーダ３６の動作を、ＣＰＵ４２からの指示に従ってマイクロコンピュータ５１が制御している。
【００５９】
そして、復調処理および誤り訂正処理などが施されて暗号化された、ＴＳパケットデータとしてデスクランブラ３７に送られる。
【００６０】
デスクランブラ３７は、暗号化されたＴＳパケットデータにＴＳパケットレベルのデスクランブル処理を施す。この場合、デスクランブラ３７は、暗号化ＴＳパケットデータのヘッダ部分からＰＩＤ部とスクランブル制御部の値を読みとり、この値に対応するＴＳパケット用復号鍵がサービスプロバイダから与えられているかどうかを判断する。そして、復号鍵が与えられてればその復号鍵により暗号化ＴＳパケットのペイロード部分を復号して出力する。一方、復号鍵が与えられていなければ暗号化ＴＳパケットを破棄する。
【００６１】
復号されたＴＳパケットは、デマルチプレクサ３８に供給される。デマルプレクサ３８は、上記のＴＳパケットデータと共に多重化されたオーディオデータとビデオデータを分割し、オーディオデータをオーディオデコーダ３９に供給し、ビデオデータをビデオデコーダ４０に供給する。オーディオデコーダ３９は、オーディオ出力端子４ａからアナログオーディオ信号を出力し、ビデオデコーダ４０はＮＴＳＣエンコーダ４１を介してビデオ出力端子４ｂからアナログビデオ信号を出力する。残りのＴＳパケットデータは、パケッタイザ４５に供給される。
【００６２】
パケッタイザ４５は、デマルチプレクサ３８からのＴＳパケットをインターネットプロトコルパケット（ＩＰパケット）に再構成するためのものである。ここで再構成されたＩＰパケット（ＩＰデータグラム）は、データデスクランブラ４６を介して経路選択部４７に送られる。なお、データデスクランブラ４６は、ＩＰデータグラムにスクランブルが施されている場合に、デスクランブル処理を施すためのものである。なお、このときの復号鍵は、識別子に対応させて、デュアルポートラム（ＤＰＲＡＭ）４８内に収納されている。
【００６３】
経路選択部４７は、上記のＩＰデータグラムをＬＡＮインタフェース４９を介してコンピュータに出力するか、モデム５４を介して電話回線により接続された外部ネットワークに送出するかを選択する手段である。この動作は、制御手段であるＣＰＵ４２により制御される。
【００６４】
ＣＰＵ４２は、このデータ受信装置の動作を制御する制御手段である。具体的には、ＤＰＲＡＭ４８の読み出しと共に参照テーブルの値の設定を制御したり、ＲＯＭ４４からＲＡＭ４３に読み込まれたプログラムにしたがって、デマルチプレクサ３８、ＤＰＲＡＭ４８を制御する。このＣＰＵ４２は、上記リクエストをモデム５４および電話回線を介して外部のネットワークに送信する制御も行う。これらの制御は、ホストバス５５を介して行われる。
【００６５】
また、ＣＰＵ４２が、ＩＣカードリーダ５３から読み込んだデータを処理して、上記復号鍵を生成するようにしたり、必要に応じて課金情報を発生するようにしてもよい。
【００６６】
最後に、本発明のデータ受信装置の形状について説明する。
【００６７】
このデータ受信装置は、前述したように箱形の筐体に収容されており、その背面部に放送回線に接続するための放送インタフェース、ＬＡＮなどと接続するためのコンピュータインタフェース、電話回線に接続するための外部接続インタフェースを備えている。また、このデータ受信装置は、一般的に市販されている放送受信装置と同様の放送受信機能を有している。
【００６８】
図７は、上記のデータ受信装置の前面パネルの一構成例を示している。
【００６９】
前面パネルには、動作状態を示すインジケータが設けられており、この例では、電源のオン／オフ状態を示す電源インジケータ８０，リンク状態を示すリンク（Link）インジケータ８５，データのコリージョン（衝突）を検出したことを示すコリージョン（Collision）インジケータ８７が設けられている。
【００７０】
図８は、上記のデータ受信装置の前面パネルの別の構成例を示している。
【００７１】
この例では、図７に例示の各インジケータに加えて、Ｂ１インジケータ８１，Ｂ２インジケータ８２，Ｔｘ（送信）インジケータ８３，Ｒｘ（受信）インジケータ８４，アナログインジケータ８６が設けられている。
【００７２】
図９は、上記のデータ受信装置の前面パネルのさらに別の構成例を示している。この例では、電源インジケータ８０，Ｔｘインジケータ８３，Ｒｘインジケータ８４，リンクインジケータ８５，アナログインジケータ８６，コリージョンインジケータ８７が設けられている。
【００７３】
図１０は、上記のデータ受信装置の背面パネルの構成例を示している。
【００７４】
背面パネルには、インタフェースである各種の端子（コネクタ）が設けられており、放送回線とチューナ部を接続するためのチューナインタフェース（Tuner I/F ）コネクタ９１，ＬＡＮなどを介してコンピュータを接続するためのネットワークインタフェース（Network I/F ）コネクタ９２，モデムなどを介して電話回線に接続するための電話インタフェース（電話I/F ）コネクタ９３が設けられている。これらのコネクタ９１，９２，９３は、図１、図２の各端子１，２，３にそれぞれ対応している。
【００７５】
また、アナログオーディオ信号を出力するためのオーディオ（Audio ）Ｒ／Ｌ出力コネクタ９４Ａ，９４Ｂ，アナログビデオ信号を出力するためのビデオ（Video ）出力コネクタ９５Ａ，９５Ｂ，Ｓビデオ信号を出力するためのＳビデオ（Ｓ Video）出力コネクタ９６Ａ，９６Ｂを備えている。電源コネクタ１００は、このデータ受信装置に電源を供給するためのものである。
【００７６】
【発明の効果】
本発明によれば、放送データが入力される第１のインタフェースと、入力された放送データを所定のパケットに再構成するパケッタイザと、再構成されたパケットをコンピュータに出力する第２のインタフェースとを備えることにより、放送回線を介して送られるデータを受信して、例えばパーソナルコンピュータで一元的に処理できるＩＰパケットに変換して出力するように構成したため、各ユーザのパーソナルコンピュータからの電話回線経由のリクエストに応じて放送回線を介して送信されるデータをコンピュータ上で利用することが可能になる。
【００７７】
また、インターネット上で割り当てられたＩＰアドレスと放送回線上で割り当てられたＩＰアドレスが自動的に変換されるので、ユーザはこれらＩＰアドレスの違いを意識することなくインターネットへアクセスすることができる。
【００７８】
しかも、上記の機能を実現するための手段を、同一の筐体にコンパクトに収容し、必要なインタフェースを全て備えているため、コンピュータの種類などの制約を受けることなく汎用性が高いデータ受信装置として提供することができる。このデータ受信装置を用いることにより、インターネットなどの外部ネットワークから大量のデータを高速にダウンロードする際に、デジタル衛星放送回線などの大容量の一方向回線を簡単に利用することができる。
【図面の簡単な説明】
【図１】本発明に係るデータ受信装置の実施の一形態を示す図である。
【図２】本発明に係るデータ受信装置の主要部の構成を示すブロック図である。
【図３】本発明に係るデータ受信装置におけるデータの流れを説明するための図である。
【図４】ＩＰパケットが作成される過程を説明するための図である。
【図５】ＩＰヘッダの詳細な構成を示す図である。
【図６】本発明に係るデータ受信装置の具体的な構成例を示すブロック図である。
【図７】本発明に係るデータ受信装置の前面パネルの一構成例を示す図である。
【図８】本発明に係るデータ受信装置の前面パネルの別の構成例を示す図である。
【図９】本発明に係るデータ受信装置の前面パネルのさらに別の構成例を示す図である。
【図１０】本発明に係るデータ受信装置の背面パネルの構成例を示す図である。
【符号の説明】
１，２，３，４  端子、  １０  チューナ部、  １１  デマルチプレクサ、  １２  パケッタイザ、  １３  経路選択部、  １３ａ  アドレス変換テーブル、１４  ＬＡＮインタフェース、  １５  モデム、  １６  Ａ／Ｖデコーダ、  １７  課金制御部
【図１】
0003887945.tif 000002
【図２】
0003887945.tif 000003
【図３】
0003887945.tif 000004
【図４】
0003887945.tif 000005
【図５】
0003887945.tif 000006
【図６】
0003887945.tif 000007
【図７】
0003887945.tif 000008
【図８】
0003887945.tif 000009
【図９】
0003887945.tif 000010
【図１０】
0003887945.tif 000011